(57)【特許請求の範囲】
【請求項１】
車部と、同車部に揺動自在状態と固定状態とに使用形態を変更可能に支持させた椅子部とを具備する車椅子において、
前記車部は、
平面視コ字状に形成した下部支持枠形成片と、
同下部支持枠形成片の左右側部に側面視門型に形成して立設した左右一対の左・右側支持枠形成片と、
両左・右側支持枠形成片の中途部間に左右方向に伸延させて横架した上部連結片と
から枠組状に形成した車輪支持枠体を備え、
前記左・右側支持枠形成片の中途部間に前後方向に伸延させてそれぞれ横架した中途部支持片と、前記左・右側支持枠形成片の上半部とにより形成される横長四角形枠内に張設した椅子部支持板体に左右一対の前部揺動ガイド溝と左右一対の後部ガイド溝をそれぞれ設け、
前記椅子部は、
前後方向に伸延する左右一対の座部形成片と、
この座部形成片の各後端部より上方に立ち上げた背もたれ部形成片と、
前記座部形成片の各前端部より下方へ伸延させた足載せ部支持片と、
前記座部形成片の前部と前記背もたれ部形成片の下部との間に架設状に設けた肘掛け部形成片と、
この肘掛け部形成片の下端部間に横架した下端部連結片と、
前記肘掛け部形成片の後端部間に横架した後端部間連結片とから枠組状に形成した椅子部形成枠体を備え、
前記座部形成片の前部には、外側方へ突出状に突設させた前部ガイドローラ支持体を設けて、
同前部ガイドローラ支持体に前記前部揺動ガイド溝に係合させるベアリング状のガイドローラを取り付け、
前記座部形成片の後端部には、外側方へ突出状に突設させた後部ガイドローラ支持体を設けて、
同後部ガイドローラ支持体に前記後部揺動ガイド溝に係合させるベアリング状のガイドローラを取り付け、
前記前部揺動ガイド溝は、前後方向に伸延させて形成すると共に、前端部から後端部に向けて漸次上昇する湾曲状に形成する一方、
前記後部揺動ガイド溝は、前後方向に伸延させて形成すると共に、前端部から後端部に向けて漸次下降する湾曲状に形成して、
前記椅子部は、揺動自在状態では、前後方向に揺動させてロッキングチェアとして使用可能とすると共に、固定状態では、任意の揺動位置にて固定可能として固定姿勢を変更可能としたことを特徴とする車椅子。
【請求項２】
前記ガイドローラ支持体は、前記座部形成片から左側外方へ突出する筒状支持体と、同筒状支持体に挿通した筒状の支持本体を備え、
前記ガイドローラは、前記支持本体の先端部外周面に嵌合させるとともに、
前記支持本体に設けた鍔状の固定側パッド支持片に張設した固定側パッドと、前記支持本体の先端部に設けたキャップ状の可動側パッド支持片に張設した可動側パッドとにより椅子部支持板体を挟持することにより前記ガイドローラを停止させて、車部に椅子部を固定可能となしたことを特徴とする請求項１記載の車椅子。
【発明の詳細な説明】
【技術分野】
【０００１】
本発明は、ロッキングチェアとして使用することができる車椅子であって、着座姿勢も変更することができる車椅子に関する。
【背景技術】
【０００２】
従来、ロッキングチェアとしても使用することができる車椅子として、先に本願出願人が提案したものがある（例えば、特許文献１参照）。すなわち、かかる車椅子は、車部と椅子部とを具備するものであって、椅子部は、車部に固定状態と揺動自在状態とに使用形態を変更可能に支持させて、揺動自在状態では、椅子部を車部上にて前後方向に揺動させてロッキングチェアとして使用可能としている。そして、椅子部に、下方へ膨出状に湾曲させて形成した左右一対の揺動脚体を設ける一方、車部に上記揺動脚体を案内・支持する左右一対の案内・支持体を設けて、各案内・支持体上にて各揺動脚体を固定状態となすことも、また、前後方向に揺動自在状態となすことも可能としている。
【特許文献１】特開２００１−１２９０２６公報
【発明の開示】
【発明が解決しようとする課題】
【０００３】
ところが、上記した車椅子は、ロッキングチェアとして使用することはできるが、安楽椅子として好みの着座姿勢に変更することはできなかった。例えば、椅子部を後方へ傾斜させた状態に固定して、使用者が楽に椅子部に着座することができるようにすることはできなかった。
【０００４】
また、使用者が椅子部から離座ないしは着座することが楽に行えるように、椅子部の固定姿勢を変更することもできなかった。例えば、椅子部を前方へ傾斜させた状態に固定して、使用者が椅子部に着座した姿勢から楽に起立して、椅子部から離座することができるようにすることはできなかった。
【課題を解決するための手段】
【０００５】
そこで、本発明では、車部と、同車部に揺動自在状態と固定状態とに使用形態を変更可能に支持させた椅子部とを具備する車椅子において、前記車部は、平面視コ字状に形成した下部支持枠形成片と、同下部支持枠形成片の左右側部に側面視門型に形成して立設した左右一対の左・右側支持枠形成片と、両左・右側支持枠形成片の中途部間に左右方向に伸延させて横架した上部連結片とから枠組状に形成した車輪支持枠体を備え、前記左・右側支持枠形成片の中途部間に前後方向に伸延させてそれぞれ横架した中途部支持片と、前記左・右側支持枠形成片の上半部とにより形成される横長四角形枠内に張設した椅子部支持板体に左右一対の前部揺動ガイド溝と左右一対の後部ガイド溝をそれぞれ設け、前記椅子部は、前後方向に伸延する左右一対の座部形成片と、この座部形成片の各後端部より上方に立ち上げた背もたれ部形成片と、前記座部形成片の各前端部より下方へ伸延させた足載せ部支持片と、前記座部形成片の前部と前記背もたれ部形成片の下部との間に架設状に設けた肘掛け部形成片と、この肘掛け部形成片の下端部間に横架した下端部連結片と、前記肘掛け部形成片の後端部間に横架した後端部間連結片とから枠組状に形成した椅子部形成枠体を備え、前記座部形成片の前部には、外側方へ突出状に突設させた前部ガイドローラ支持体を設けて、同前部ガイドローラ支持体に前記前部揺動ガイド溝に係合させるベアリング状のガイドローラを取り付け、前記座部形成片の後端部には、外側方へ突出状に突設させた後部ガイドローラ支持体を設けて、同後部ガイドローラ支持体に前記後部揺動ガイド溝に係合させるベアリング状のガイドローラを取り付け、前記前部揺動ガイド溝は、前後方向に伸延させて形成すると共に、前端部から後端部に向けて漸次上昇する湾曲状に形成する一方、前記後部揺動ガイド溝は、前後方向に伸延させて形成すると共に、前端部から後端部に向けて漸次下降する湾曲状に形成して、前記椅子部は、揺動自在状態では、前後方向に揺動させてロッキングチェアとして使用可能とすると共に、固定状態では、任意の揺動位置にて固定可能として固定姿勢を変更可能としたことを特徴とする車椅子を提供せんとするものである。
【０００６】
また、本発明は、次の構成にも特徴を有する。
【０００７】
（１）前記ガイドローラ支持体は、前記座部形成片から左側外方へ突出する筒状支持体と、同筒状支持体に挿通した筒状の支持本体を備え、前記ガイドローラは、前記支持本体の先端部外周面に嵌合させるとともに、前記支持本体に設けた鍔状の固定側パッド支持片に張設した固定側パッドと、前記支持本体の先端部に設けたキャップ状の可動側パッド支持片に張設した可動側パッドとにより椅子部支持板体を挟持することにより前記ガイドローラを停止させて、車部に椅子部を固定可能となしたこと。
【発明の効果】
【０００９】
(１)請求項１記載の本発明では、車部と、同車部に揺動自在状態と固定状態とに使用形態を変更可能に支持させた椅子部とを具備する車椅子において、前記車部は、平面視コ字状に形成した下部支持枠形成片と、同下部支持枠形成片の左右側部に側面視門型に形成して立設した左右一対の左・右側支持枠形成片と、両左・右側支持枠形成片の中途部間に左右方向に伸延させて横架した上部連結片とから枠組状に形成した車輪支持枠体を備え、前記左・右側支持枠形成片の中途部間に前後方向に伸延させてそれぞれ横架した中途部支持片と、前記左・右側支持枠形成片の上半部とにより形成される横長四角形枠内に張設した椅子部支持板体に左右一対の前部揺動ガイド溝と左右一対の後部ガイド溝をそれぞれ設け、前記椅子部は、前後方向に伸延する左右一対の座部形成片と、この座部形成片の各後端部より上方に立ち上げた背もたれ部形成片と、前記座部形成片の各前端部より下方へ伸延させた足載せ部支持片と、前記座部形成片の前部と前記背もたれ部形成片の下部との間に架設状に設けた肘掛け部形成片と、この肘掛け部形成片の下端部間に横架した下端部連結片と、前記肘掛け部形成片の後端部間に横架した後端部間連結片とから枠組状に形成した椅子部形成枠体を備え、前記座部形成片の前部には、外側方へ突出状に突設させた前部ガイドローラ支持体を設けて、同前部ガイドローラ支持体に前記前部揺動ガイド溝に係合させるベアリング状のガイドローラを取り付け、前記座部形成片の後端部には、外側方へ突出状に突設させた後部ガイドローラ支持体を設けて、同後部ガイドローラ支持体に前記後部揺動ガイド溝に係合させるベアリング状のガイドローラを取り付け、前記前部揺動ガイド溝は、前後方向に伸延させて形成すると共に、前端部から後端部に向けて漸次上昇する湾曲状に形成する一方、前記後部揺動ガイド溝は、前後方向に伸延させて形成すると共に、前端部から後端部に向けて漸次下降する湾曲状に形成して、前記椅子部は、揺動自在状態では、前後方向に揺動させてロッキングチェアとして使用可能とすると共に、固定状態では、任意の揺動位置にて固定可能として固定姿勢を変更可能としている。
【００１０】
従って、ロッキングチェアとして使用した場合には、次のような効果がある。すなわち、特に、病院に入院中の高齢者で、自力で車椅子を動かすことのできない人にとっては、好んで車椅子をロッキングチェアとして使用するようになり、離床の誘因となる。ロッキングチェアとして車椅子を使用している際には、椅子部が揺れることによって使用者の臀部に加わる圧力が分散されるため、長時間の着座も可能となり、さらに、揺れることにより、「めまい」の改善及び全身の調整が可能となり、自分の脚で蹴って車椅子を揺り動かすことによる下肢のリハビリ効果も得られる。
また、前部揺動ガイド溝を、前後方向に伸延させて形成すると共に、前端部から後端部に向けて漸次上昇する湾曲状に形成し、後部揺動ガイド溝を、前後方向に伸延させて形成すると共に、前端部から後端部に向けて漸次下降する湾曲状に形成したことにより、椅子部に着座した使用者が、上半身、特に頭部をゆっくり前後方向に移動させるだけで、椅子部をロッキングチェアのように揺動させることができる。
【００１１】
また、任意の揺動位置（使用者の好みの位置）にて固定した固定姿勢に変更した場合には、次のような効果がある。すなわち、椅子部を後方へ傾斜させた状態に固定して、使用者が楽に椅子部に着座することができる好みの着座姿勢に変更することができて、安楽椅子として使用することができる。その結果、この点からも高齢者にとって、離床の誘因となる。椅子部を前方へ傾斜させた状態に固定して、使用者が椅子部に着座した姿勢から楽に起立して、椅子部から離座することができるように椅子部の固定姿勢を変更することもできる。その結果、車椅子への離・着座に対する億劫さが解消されて、好んで車椅子が利用されることになり、それに伴って上記した効果が得られ、その効果が使用者に体感されることで一層好んで車椅子が利用されるという好ましい循環が形成される。
【００１２】
(２)請求項２記載の本発明では、前記ガイドローラ支持体は、前記座部形成片から左側外方へ突出する筒状支持体と、同筒状支持体に挿通した筒状の支持本体を備え、前記ガイドローラは、前記支持本体の先端部外周面に嵌合させるとともに、前記支持本体に設けた鍔状の固定側パッド支持片に張設した固定側パッドと、前記支持本体の先端部に設けたキャップ状の可動側パッド支持片に張設した可動側パッドとにより椅子部支持板体を挟持することにより前記ガイドローラを停止させて、車部に椅子部を固定可能となしている。
【００１３】
従って、固定側パッドと、可動側パッドとにより椅子部支持板体を挟持することにより前記ガイドローラを停止させて、車部に椅子部を使用者の好みの固定姿勢に簡単に変更することができる。
しかも、かかる構造を有する車椅子を構造簡易にして、安価に製造することができる。
【発明を実施するための最良の形態】
【００１６】
以下に、本発明の実施の形態について図面を参照しながら説明する。
【００１７】
図1〜図３に示すＡは、本発明に係る車椅子であり、同車椅子Ａは、車部１と、同車部
１に揺動自在状態と固定状態とに使用形態を変更可能に支持させた椅子部２とを具備して
おり、椅子部２は、揺動自在状態では、前後方向に揺動させてロッキングチェアとして使
用可能とすると共に、固定状態では、任意の揺動位置にて固定可能として固定姿勢を変更
可能としている。
【００１８】
車部１は、図1〜図３に示すように、車輪支持枠体３にそれぞれ左右一対の前車輪４,４
と左右一対の後車輪５,５とを取り付けている。そして、車輪支持枠体３は、平面視コ字
状に形成した下部支持枠形成片６と、同下部支持枠形成片６の左右側部に側面視門型に形
成して立設した左右一対の左・右側支持枠形成片７,７と、両左・右側支持枠形成片７,７
の中途部間に左右方向に伸延させて横架した上部連結片８とから枠組状に形成している。
９,９は前後方向に伸延させて左・右側支持枠形成片７,７の中途部間にそれぞれ横架した
中途部支持片であり、両中途部支持片９,９の略中央部間に上部連結片８を横架している
。１０は左右方向に伸延させて平面視コ字状に形成した下部支持枠形成片６の前部間に横
架した下部連結片である。
【００１９】
左・右側支持枠形成片７,７の上半部と中途部支持片９,９とにより形成される横長四角
形枠内に椅子部支持板体１１,１１を張設し、各椅子部支持板体１１,１１に左右一対の前
部揺動ガイド溝１２,１２と左右一対の後部ガイド溝１３,１３を切欠状に形成している。
前部揺動ガイド溝１２と後部ガイド溝１３は、略前後線対称形状に形成しており、前部揺
動ガイド溝１２は、前後方向に伸延させて形成すると共に、前端部から後端部に向けて漸
次上昇する湾曲状に形成する一方、後部揺動ガイド溝１３は、前後方向に伸延させて形成
すると共に、前端部から後端部に向けて漸次下降する湾曲状に形成している。
【００２０】
また、前車輪４,４は、左・右側支持枠形成片７,７の前下部にキャスター構造の前車輪
支持片１４を介して取り付けている。１５は前車輪支軸である。後車輪５,５は、左・右
側支持枠形成片７,７の後下部にボス部１６を介して後車輪支軸１７を取り付けている。
１８は後車輪回動操作用リング、１９は棒状ステーである。２０は中途部支持片９に取り
付けた停車・解除操作体であり、同停車・解除操作体２０により後車輪５を停車状態に保
持させることも、また、停車解除状態となすこともできるようにしている。
【００２１】
椅子部２は、図１〜図３に示すように、椅子部形成枠体２１に座部２２と背もたれ部２
３と肘掛け部２４,２４と足載せ部２５,２５とを設けている。そして、椅子部形成枠体２
１は、前後方向に伸延する左右一対の座部形成片２６，２６の各後端部より上方に立ち上
げて背もたれ部形成片２７,２７を形成する一方、座部形成片２６,２６の各前端部より下
方へ伸延させて足載せ部支持片２８,２８を形成し、座部形成片２６,２６の前部と背もた
れ部形成片２７,２７の下部との間に肘掛け部形成片２９,２９を架設状に介設し、肘掛け
部形成片２９,２９の下端部間に左右方向に伸延する下端部連結片３０を横架すると共に
、肘掛け部形成片２９,２９の後端部間に左右方向に伸延する後端部間連結片３１を横架
して枠組状に形成している。３２は背もたれ部形成片２７,２７の上端に形成した手押し
用ハンドルである。
【００２２】
座部２１は、左右一対の座部形成片２６，２６間に座部形成用シート体３３を介設して
形成している。背もたれ部２３は、左右一対の背もたれ部形成片２７,２７間に背もたれ
部形成シート体３４を介設して形成している。肘掛け部２４は、肘掛け部形成片２９の上
部に肘掛け体３５を取り付けて形成している。足載せ部２５は足載せ支持片２８の下端に
足載せ体３６を起立させた収納位置と横臥状態に倒伏させた使用位置とに起倒自在に取り
付けて形成している。
【００２３】
図４にも示すように、左右一対の座部形成片２６，２６の前部に左右一対の前部ガイド
ローラ支持体３７,３７を外側方へ突出状に突設し、両座部形成片２６,２６の後端部に左
右一対の後部ガイドローラ支持体３８,３８を外側方へ突出状に突設して、各ガイドロー
ラ支持体３７,３７,３８,３８の先端部にガイド溝係合体としてのベアリング状のガイドローラ３９,３９,３９,３９を各ガイドローラ支持体の軸線廻りに転動自在に取り付け、各ガイドローラ３９,３９,３９,３９を側方に符合する前記左右一対の前部揺動ガイド溝１２,１２と左右一対の後部ガイド溝１３,１３中に係合させて、椅子部２を揺動自在となしている。
【００２４】
このようにして、図５に示すように、椅子部２に着座した使用者は、上半身、特に、頭
部をゆっくり前後方向に移動させることにより、椅子部２をロッキングチェアのように、
例えば、図５（ｂ）（ｃ）の範囲で揺動させることができる。そのため、下半身、特に、
脚部に力の入らない身障者等でも、ロッキングチェアとしての使用が可能である。また、脚部に少し力の入る身障者等の場合は、足載体３６を起立させて収納位置に配置して、使用者が床面を足で踏み込むことにより、下肢のリハビリを行うこともできる。なお、この際、後車輪５,５は停車・解除操作体２０,２０により停車状態に保持させておく。
【００２５】
次に、各ガイドローラ支持体３７,３７,３８,３８は同様に構成しているため、図４に
示す前部左側のガイドローラ支持体３７を代表として説明する。すなわち、ガイドローラ
支持体３７は、座部形成片２６から左側外方へ突出する筒状支持体４１と、同筒状支持体
４１に左側外方から挿通した筒状の支持本体４２と、同支持本体４２の先端部外周面に嵌
合した前記ガイドローラ３９とから形成している。
【００２６】
しかも、ガイドローラ３９には停止体としてのローラ停止体４３を設けて、同ローラ停止体４３により左側前部揺動ガイド溝１２の任意の位置にてガイドローラ３９を停止させて、車部１に椅子部２を固定可能となしている。
【００２７】
すなわち、ローラ停止体４３は、支持本体４２の外側部周面に鍔状の固定側パッド支持
片４４を張り出し状に形成して、同固定側パッド支持片４４の左側周縁部にリング状の固
定側パッド４５を張設する一方、支持本体４２の先端部にキャップ状の可動側パッド支持
片４６を嵌合し、同可動側パッド支持片４６の右側周縁部にリング状の可動側パッド４７
を張設して、パッド４５,４７同士を、左側前部揺動ガイド溝１２を形成する椅子部支持
板体１１を間に対向させて配置している。そして、可動側パッド支持片４６を固定側パッ
ド支持片４４側に近接させて、両パッド支持片４６,４４により両パッド４５,４７を介し
て椅子部支持板体１１を挟持することにより、左側前部揺動ガイド溝１２の任意の位置に
てガイドローラ３９を停止させて、車部１に椅子部２を固定可能となしている。
【００２８】
椅子部２の左側肘掛け部２４には、図２〜図４に示すように、椅子部２を車部１に固定
・解除する固定・解除操作体４８を設けており、同固定・解除操作体４８は各ローラ停止
体４３に連動連結して、同固定・解除操作体４８を操作することにより、適宜椅子部２の着座姿勢を好みの任意の位置に変更可能としている。
【００２９】
すなわち、固定・解除操作体４８は、操作ボックス４９内に左右方向に軸線を向けた支
軸５０を横架し、同支軸５０の外側端に上下方向に伸延する操作レバー５１の基端を取り
付けて、同操作レバー５１を前方に倒伏させた位置と上方に起立させた位置との間で回動
操作可能となし、支軸５０にはリンク機構５２を介して４本のワイヤ５３,５３,５３,５
３の基端を連動連結し、各ワイヤ５３,５３,５３,５３の先端は筒状支持体４１及び筒状
の支持本体４２中を通して各ローラ停止体４３の可動側パッド支持片４６に連動連結して
いる。５４は可動側パッド支持片４６を椅子部支持板体１１から離隔させる方向に弾性付
勢している板バネ等の弾性付勢体、５３ａはアウターワイヤ、５３ｂはアウターワイヤ５
３ａ中に摺動自在に挿通したインナーワイヤである。
【００３０】
このようにして、操作レバー５１を前方に倒伏させるように回動操作すると、各ワイヤ
５３のインナーワイヤ５３ｂが引張されて、可動側パッド支持片４６が椅子部支持板体１
１側に移動すると共に、固定側パッド支持片４４と協働して椅子部支持板体１１を挟持し
、各ガイドローラ３９を停止させて、車部１に椅子部２を固定する。操作レバー５１を上
方に起立させるように回動操作すると、上記とは反対に、各ワイヤ５３のインナーワイヤ
５３ｂが弛緩されて、可動側パッド支持片４６が弾性付勢体５４により椅子部支持板体１
１から離隔されて、各ガイドローラ３９の転動・移動を自由にして、車部１から椅子部２
を固定解除する。
【００３１】
この際、操作レバー５１の操作は、椅子部２の任意の揺動姿勢において適宜行うことが
できるものであり、例えば、図５の（ａ）に示す通常姿勢から図５の（ｂ）に示すように
、椅子部２を後方へ傾斜させた状態に固定することにより、使用者が楽に椅子部２に着座
することができる好みの着座姿勢に変更することができて、安楽椅子として使用すること
ができる。また、図５の（ｃ）に示すように、椅子部２を前方へ傾斜させた状態に固定す
ることにより、使用者が椅子部２に着座した姿勢から楽に起立して、椅子部２から離座す
ることができるように椅子部２の固定姿勢を変更することもできる。なお、後車輪５,５
は停車・解除操作体２０,２０により停車状態に保持させておく。
【００３２】
図６は、他の実施形態としての車椅子Ａの椅子部２の着座姿勢説明図である。かかる車椅子Ａは、基本的構造を前記した実施形態の車椅子Ａと同様に構成しているが、前記実施形態では椅子部２に設けている足載せ部２５,２５を、本実施形態では車部１の左・右側支持枠形成片７,７に設けている点で大きく異なる。そして、左・右側支持枠形成片７,７の後下部にキャスター構造の後尾輪５５を設けて、後車輪５,５の後車輪支軸１７,１７を椅子部２の重心側に寄せて、同椅子部２の安定性を増している点でも異なる。なお、図６は構造を簡略化した説明図であり、前記実施形態と同様の構造である停車・解除操作体２０、ローラ停止体４３、及び、固定・解除操作体４８等の構造は図示していない。
【００３３】
このようにして、図６に示すように、椅子部２に着座した使用者は、使用位置に倒伏させた足載体３６を足で踏み込むことにより、椅子部２をロッキングチェアのように、例えば、図６（ｂ）（ｃ）の範囲で揺動させることができる。そのため、使用者にとっては特に下肢のリハビリ効果が高い。なお、この際、後車輪５,５は停車・解除操作体２０,２０により停車状態に保持させておく。また、固定・解除操作体４８を操作することにより、適宜椅子部２の着座姿勢を好みの任意の位置に変更することができる。
【図面の簡単な説明】
【００３４】
【図１】本発明にかかる車椅子の斜視図。
【図２】同車椅子の側面図。
【図３】同車椅子の平面図。
【図４】ローラ停止体の一部切欠平面説明図。
【図５】椅子部の着座姿勢説明図。
【図６】他の実施形態としての車椅子に設けた椅子部の着座姿勢説明図。
【符号の説明】
【００３５】
Ａ  車椅子
１  車部
２  椅子部
３  車輪支持枠体
４  前車輪
５  後車輪
【図１】
0005021581.tif 000002
【図２】
0005021581.tif 000003
【図３】
0005021581.tif 000004
【図４】
0005021581.tif 000005
【図５】
0005021581.tif 000006
【図６】
0005021581.tif 000007